(57)【特許請求の範囲】
【請求項１】
カード決済端末装置と、前記カード決済端末装置とのデータの送受信をおこなうサーバとを備えたカード決済システムにおいて、
前記サーバは、
前記カード決済端末装置から決済に関する情報を取得する手段と、
地域ごとに異なる天気情報、観光情報、イベント情報等の地域情報を格納する地域情報格納手段と、
所定の日付または時刻ごとに異なるイベント情報等を格納する日時情報格納手段と、
前記カード決済端末装置の決済処理がおこなわれた際の位置情報を、前記カード決済端末が決済のために無線中継局を経由して接続してきた際の前記無線中継局を特定することによって取得する位置情報取得手段と、
前記カード決済端末装置により決済処理がおこなわれた際の日時を取得する日時取得手段と、
前記位置情報取得手段により取得された位置情報および前記日時取得手段により取得された日時に基づいて、前記地域情報格納手段に格納された情報の中から該当する情報を抽出する抽出手段と、
前記取得した決済に関する情報を各カード会社または金融機関と接続したカードビジネス総合ネットワークシステムへ送出し、前記カードビジネス総合ネットワークシステムから当該決済に関する認証結果を取得する手段と、
前記取得した認証結果と共に前記抽出手段により抽出された抽出情報を前記カード決済端末装置へ送信する送信手段とを備え、
前記カード決済端末装置は、
前記サーバに決済に関する情報を送出する手段と、
前記サーバから、前記認証結果および前記抽出情報を受信する受信手段と、
前記受信手段により受信した前記抽出情報を、前記決済に関する情報に基づいて作成する売上伝票の所定の領域に出力する出力手段と
を備えたことを特徴とするカード決済システム。
【発明の詳細な説明】
【０００１】
【発明の属する技術分野】
この発明は、カード決済端末装置と、前記カード決済端末装置とのデータの送受信をおこなうサーバと、を備えたカード決済システムに関する。
【０００２】
【従来の技術】
個人が所有するクレジットカード、デビットカード等のカードをもちいて決済をおこなう際に、決済者は、決済の日時、金額等が記載された売上伝票を作成し、顧客は、その売上伝票を受領する。
【０００３】
【発明が解決しようとする課題】
ここで、上記売上伝票には、通常カード決済に関して必要な事項のみしか記載されておらず、顧客は決済に関する内容を確認した後は、その売上伝票を見ることはほとんどない。そこで、その売上伝票の余白に、広告情報など決済に関する情報とは別個の情報を併せて印刷することにより、売上伝票の余白を有効に利用することが考えられる。さらに、タクシー等、決済の場所が変化する場合に、その場所ごとの情報が印刷されることがより望ましい。
【０００４】
この発明は、上記の点に鑑みてなされたものであって、カード決済の際に、カード決済の場所や日時に応じた適切な情報を顧客に提供することが可能なカード決済システムを提供することを目的とする。
【０００５】
【課題を解決するための手段】
上述した課題を解決し、目的を達成するため、請求項１に記載の発明にかかるカード決済システムは、カード決済端末装置と、前記カード決済端末装置とのデータの送受信をおこなうサーバと、を備えたカード決済システムにおいて、前記サーバが、各地域ごとに異なる情報を格納する地域情報格納手段と、前記カード決済端末装置の決済処理がおこなわれた際の位置情報を取得する位置情報取得手段と、前記位置情報取得手段により取得された位置情報に基づいて、前記地域情報格納手段により格納された地域情報の中から該当する地域情報を抽出する抽出手段と、前記抽出手段により抽出された地域情報を前記カード決済端末装置へ送信する送信手段とを備え、前記カード決済端末装置が、前記サーバの送信手段により送信された地域情報を受信する受信手段と、前記受信手段により受信した地域情報を売上伝票の所定の領域に出力する出力手段とを備えたことを特徴とする。
【０００６】
また、請求項２に記載の発明にかかるカード決済システムは、カード決済端末装置と、前記カード決済端末装置とのデータの送受信をおこなうサーバと、を備えたカード決済システムにおいて、前記サーバが、所定の日付または時刻ごとに異なる情報を格納する日時情報格納手段と、前記カード決済端末装置により決済処理がおこなわれた日時を取得する日時取得手段と、前記日時取得手段により取得された日時に基づいて、前記日時情報格納手段により格納された情報の中から該当する情報を抽出する抽出手段と、前記抽出手段により抽出された情報を前記カード決済端末装置へ送信する送信手段とを備え、前記カード決済端末装置は、前記サーバの送信手段により送信された情報を受信する受信手段と、前記受信手段により受信した情報を売上伝票の所定の領域に出力する出力手段とを備えたことを特徴とする。
【０００７】
【発明の実施の形態】
以下に添付図面を参照して、この発明の好適な実施の形態にかかるカード決済システムについて詳細に説明する。
（無線カード決済端末装置のハードウエア構成）
図１は、実施の形態にかかるカード決済システムを構成する無線カード決済端末装置のハードウエア構成を示すブロック図である。図１において、無線カード決済端末装置１００は、無線カード決済端末装置１００全体の処理を制御するＣＰＵ１０１と、カード情報や料金、支払方法等カード決済に必要な情報を送受信する携帯電話等の無線通信機１０２と、カード情報を読み取るカードリーダユニット１０３と、カードによる決済の結果情報等を表示する表示ユニット１０４と、を含む構成となっている。表示ユニット１０４としては、たとえばＴＦＴ液晶ディスプレイ等文字、数字、記号、図形、画像等のデータの表示が可能なものが考えられる。
【０００８】
また、無線カード決済端末装置１００は、料金および支払方法等を入力する、テンキーおよびその他のキーさらにはそれらのキーを照射するバックライト等からなる入力ユニット１０５と、クレジットカード売上票またはカードによる決済の結果情報等の印刷をおこなうプリンタユニット１０６と、無線カード決済端末装置１００全体に電源を供給する電源回路１０７と、ブートプログラム等を記録したマスクＲＯＭ等のＲＯＭ１０８と、カードによる決済の結果情報や無効カード情報等を記録するフラッシュＲＯＭ等のフラッシュメモリ１０９と、ＣＰＵ１０１のワークエリアとして使用されるＤＲＡＭ等のＲＡＭ１１０と、を含む構成となっている。
（カード決済システム）図２は、実施の形態にかかるカード決済システムの一例を示す説明図である。図２においてカード決済システムは、たとえば、タクシー等に搭載された無線カード決済端末装置１００のほか、公衆無線通信網の一部を構成する無線中継局（基地局）２０１と、情報処理センター（サーバ）２０２と、カードビジネス総合ネットワークシステムであるＣＡＦＩＳ（登録商標）２０３と、ＣＡＦＩＳ（登録商標）２０３に接続されたクレジットカード会社２０４あるいはデビットカードの決済をおこなう金融機関（銀行、郵便局等）２０５と、を含むものである。さらに、有線カード決済端末装置２０６を含んでいてもよい。
【０００９】
無線カード決済端末装置１００は、無線伝送路によって無線中継局２０１と接続するための送受信手段（無線通信機１０２）を備えている。また、無線中継局２０１と情報処理センター（サーバ）２０２とは専用回線で接続されている。したがって、複数の無線カード決済端末装置１００は、公衆無線通信網により情報処理センター（サーバ）２０２と接続されており、クレジットカードあるいはデビットカードにおける決済に必要な情報を情報処理センター（サーバ）２０２との間で送受信することができる。また、有線カード決済端末装置２０６は情報処理センター（サーバ）２０２と有線伝送路で接続されているカード決済端末装置である。
【００１０】
さらに、情報処理センター（サーバ）２０２は、各カード会社２０４あるいは金融機関２０５にＣＡＦＩＳ（登録商標）２０３を介して接続されており、各カード会社２０４あるいは金融機関２０５のホストコンピュータとオンラインによるアクセスが可能である。
【００１１】
このように、情報処理センター（サーバ）２０２は、無線カード決済端末装置１００により送信されるデータ等に対応可能な処理能力を有するコンピュータ、そのコンピュータと無線通信網の一部である無線中継局２０１と接続するための無線通信網用送受信部およびコンピュータとＣＡＦＩＳ（登録商標）２０３とを接続するためのクレジットカードあるいはデビットカードのデータ通信用送受信部を含み、複数の無線カード決済端末１００のホストコンピュータとなりうるものである。また、無線中継局２０１が一部を構成する公衆無線通信網にはたとえばパケット通信方式の公衆無線通信網等を利用する。
（サーバのハードウエア構成）図３は、実施の形態にかかるカード決済システムを構成する情報処理センター（サーバ）２０２のハードウエア構成を示すブロック図である。図３において、３０１はシステム全体を制御するＣＰＵを、３０２はＣＰＵ３０１のワークエリアとして使用されるＲＡＭを、３０３はブートプログラム等を記憶したＲＯＭを、３０４は、各種データを格納するＨＤ（ハードディスク）を、３０５は、無線中継局２０１およびＣＡＦＩＳ（登録商標）２０３との接続をおこなうＩ／Ｆ（インタフェース）を示している。また、３００は、各構成部３０１〜３０５を接続するためのバスである。
（カード決済システムの機能的構成）図４は、実施の形態にかかるカード決済システムの構成を機能的に示す機能ブロック図である。図４において、サーバ２０２は、地域情報格納部４０１と、位置情報取得部４０２と、日時情報格納部４０３と、日時取得部４０４と、抽出部４０５と、送信部４０６とから構成される。また、カード決済端末装置１００は、受信部４１１と、出力部４１２とから構成される。
【００１２】
地域情報格納部４０１は、各地域ごとに異なる情報を格納する。ここで、情報とは、各地域ごとの交通機関の時刻表に関する情報、各地域ごとの天気情報、観光案内に関する情報（名所旧跡情報、グルメ情報、ショッピング情報等）、イベント情報（コンサートや映画の開演時間に関する情報、催事や展示会に関する情報）などである。上記情報には、文字だけでなく、記号、図形、画像が含まれていてもよい。また、位置情報取得部４０２は、決済処理がおこなわれた際の位置情報を取得する。位置情報の取得は、たとえば、ＧＰＳを搭載し、カード決済端末装置１００が存在する位置を取得する。また、経由した無線中継局２０１を特定することによりカード決済端末装置１００が存在する位置を取得するようにしてもよい。
【００１３】
日時情報格納部４０３は、所定の日付または時刻ごとに異なる情報を格納する。たとえば、日付や曜日ごとあるいは時刻ごとに異なるイベント情報などである。時刻であれば、たとえば１時間ごとあるいは３０分ごと異なる内容になるようにしてもよい。上記情報には、文字だけでなく、記号、図形、画像が含まれていてもよい。また、日時取得部４０４は、決済処理がおこなわれた日時を取得する。日時の取得は、時計機能を搭載し、その時計機能により、決済処理がおこなわれた日時を特定することができる。
【００１４】
抽出部４０５は、位置情報取得部４０２により取得された位置情報に基づいて、地域情報格納部４０１により格納された地域情報の中から該当する地域情報を抽出する。また、抽出部４０５は、日時取得部４０４により取得された日時に基づいて、日時情報格納部４０３により格納された情報の中から該当する情報を抽出する。また、抽出部４０５は、位置情報取得部４０２により取得された位置情報および日時取得部４０４により取得された日時の両者を考慮して、地域情報格納部４０１により格納された地域情報または日時情報格納部４０３により格納された情報の中から該当する地域情報または日時情報を抽出することができる。たとえば、「Ａ駅」という地域情報と、その際の日時情報「午後３時」から、午後３時台の上記「Ａ駅」における時刻表を抽出することができる。
【００１５】
送信部４０６は、抽出部４０５により抽出された地域情報をカード決済端末装置１００へ送信する。また、カード決済端末装置１００の受信部４１１は、送信部４０６により送信された地域情報を受信する。そして、出力部４１２は、受信部４１１により受信した地域情報を売上伝票の所定の領域（後述する図５に示す５０１）に出力（印刷）する。より具体的には、サーバ２０２は、カード決済の認証結果がＣＡＦＩＳ（登録商標）２０３から返ってきたら、その認証結果情報とともに、ＨＤ３０４に格納された情報（データベース）の中から抽出した情報をカード決済端末装置１００へ送信する。カード決済端末装置１００では、受信した認証結果情報および上記データベースの中から抽出された情報に基づいて売上伝票を作成（印刷）し、顧客に渡すことになる。
【００１６】
ここで、地域情報格納部４０１および日時情報格納部４０３は、図３に示したＨＤ３０４によりその機能を実現することができる。また、送信部４０６は、Ｉ／Ｆ３０５によりその機能を実現することができる。また、位置情報取得部４０２、日時取得部４０４、抽出部４０５は、それぞれＲＡＭ３０２、ＲＯＭ３０３またはハードディスク３０４に記録されたプログラムに記載された命令にしたがってＣＰＵ３０１が命令処理を実行することにより、各部の機能を実現することができる。また、受信部４１１は、図１に示した無線通信機１０２によりその機能を実現することができる。また、出力部４１２は、プリンタユニット１０６によりその機能を実現することができる。
【００１７】
図５は、実施の形態にかかるカード決済システムの売上伝票の一例を示す説明図である。図５において、売上伝票５００は、利用日時、タクシーの会員番号、タクシー料金と、時刻表、広告情報等、地域情報、日時情報を所定の領域５０１に印刷する。これにより、売上伝票５００の余白部分を有効利用することができる。
【００１８】
以上、説明したように本実施の形態によれば、図５に示すように、売上伝票５００の所定領域５０１に地域情報あるいは日時情報が印刷される。顧客は売上伝票５００を受け取るだけで決済された場所・日時における適切な情報を容易に取得することができる。したがって、加盟店は広告宣伝として活用することができる。また、取得される情報は、顧客の要求によりその内容、種類を選択可能にしてもよい。
【００１９】
【発明の効果】
以上説明したように、本発明によれば、カード決済の際に印刷される売上伝票の所定の領域にオンライン広告を含む地域情報あるいは日時情報を併せて印刷するので、カード決済の際に、カード決済の場所や日時に応じた適切な情報を顧客に提供することが可能なカード決済システムが得られるという効果を奏する。
【図面の簡単な説明】
【図１】実施の形態にかかるカード決済システムを構成する無線カード決済端末装置のハードウエア構成を示すブロック図である。
【図２】実施の形態にかかるカード決済システムの一例を示す説明図である。
【図３】実施の形態にかかるカード決済システムを構成するサーバのハードウエア構成を示すブロック図である。
【図４】実施の形態にかかるカード決済システムの構成を機能的に示す機能ブロック図である。
【図５】実施の形態にかかるカード決済システムの売上伝票の一例を示す説明図である。
【符号の説明】
１００  無線カード決済端末装置
１０１  ＣＰＵ
１０２  無線通信機
１０３  カードリーダユニット
１０４  表示ユニット
１０５  入力ユニット
１０６  プリンタユニット
２０１  無線中継局
２０２  情報処理センター（サーバ）
２０３  ＣＡＦＩＳ（登録商標）
２０４  クレジットカード会社
２０５  金融機関
３０１  ＣＰＵ
３０４  ＨＤ（ハードディスク）
３０５  Ｉ／Ｆ（インタフェース）
４０１  地域情報格納部
４０２  位置情報取得部
４０３  日時情報格納部
４０４  日時取得部
４０５  抽出部
４０６  送信部
４１１  受信部
４１２  出力部
【図１】
0004482194.tif 000002
【図２】
0004482194.tif 000003
【図３】
0004482194.tif 000004
【図４】
0004482194.tif 000005
【図５】
0004482194.tif 000006